【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてアンテナ能力情報を交換するステーションであって、
第２のステーションとのデータ送信の前に、前記ステーションの能力に関する情報を含むアンテナ能力情報要素を送信するように構成された送信機と、
２つのステーション間のデータ送信の前に、前記第２のステーションの能力に関する情報を含む外部アンテナ能力情報要素を受信するように構成された受信機と
を具え、
ここで、該外部アンテナ能力情報要素は、前記第２のステーションの能力に関する情報を含み、アンテナ測定シグナリングのサポートを示すことを特徴とするステーション。
【請求項２】
前記ステーションは、ワイヤレスローカルエリアネットワーク（ＷＬＡＮ）アクセスポイントであることを特徴とする請求項１記載のステーション。
【請求項３】
前記ステーションは、ワイヤレスローカルエリアネットワーク（ＷＬＡＮ）内のステーションであることを特徴とする請求項１記載のステーション。
【請求項４】
前記アンテナ能力情報要素は、アンテナ技術フィールドを含むことを特徴とする請求項１記載のステーション。
【請求項５】
前記アンテナ能力情報要素は、サポートビーム数、物理層収束プロトコルヘッダの後の送信アンテナ情報のサポートのインジケータ、ダイバーシティ技法のインジケータ、アンテナ測定シグナリングサポートのインジケータ、および多入力サポートのインジケータからなる群から選択された少なくとも１つのフィールドをさらに含むことを特徴とする請求項１記載のステーション。
【請求項６】
前記少なくとも１つのフィールドのそれぞれは、前記第２のステーションによって前記アンテナ技術フィールドから導出されることを特徴とする請求項１記載のステーション。
【請求項７】
前記アンテナ能力情報要素は、管理フレームの一部として送信されることを特徴とする請求項１記載のステーション。
【請求項８】
前記アンテナ能力情報要素は、制御フレームの一部として送信されることを特徴とする請求項１記載のステーション。
【請求項９】
前記アンテナ能力情報要素は、データフレームの一部として送信されることを特徴とする請求項１記載のステーション。
【請求項１０】
前記アンテナ能力情報要素は、関連付け要求フレームの一部として送信されることを特徴とする請求項１記載のステーション。
【請求項１１】
前記アンテナ能力情報要素は、関連付け要求フレームの一部として送信されることを特徴とする請求項１記載のステーション。
【請求項１２】
前記アンテナ能力情報要素は、プローブ要求フレームの一部として送信されることを特徴とする請求項１記載のステーション。
【請求項１３】
前記アンテナ能力情報要素は、プローブ応答フレームの一部として送信されることを特徴とする請求項１記載のステーション。
【請求項１４】
前記アンテナ能力情報要素は、前記ステーションと前記第２のステーションの間の関連付け後の任意のときに送信されることを特徴とする請求項１記載のステーション。
【請求項１５】
前記アンテナ能力情報要素は、前記ステーションと前記第２のステーションの間のデータ転送後の任意のときに送信されることを特徴とする請求項１記載のステーション。
【請求項１６】
アンテナ能力情報を交換する方法であって、
送信ステーションからアンテナ能力情報を受信するステップと、
受信ステーションが前記送信ステーションの前記アンテナ能力をサポートすることができるかどうかを判定するステップと、
前記受信ステーションが前記送信ステーションの前記アンテナ能力をサポートすることができる場合に、前記受信ステーションで設定を調整するステップと、
前記受信ステーションが前記送信ステーションの前記アンテナ能力をサポートすることができる場合に、前記アンテナ能力を使用して前記送信ステーションからデータを受信するステップと
を具えたことを特徴とする方法。
【請求項１７】
前記送信ステーションに、前記受信ステーションのアンテナ能力の応答で応答するステップをさらに具えたことを特徴とする請求項１６記載の方法。
【請求項１８】
前記受信するステップは、関連付け要求フレームの一部としての前記アンテナ能力情報を受信することを特徴とする請求項１６記載の方法。
【請求項１９】
前記受信するステップは、関連付け要求フレームの一部としての前記アンテナ能力情報を受信するステップを含むことを特徴とする請求項１６記載の方法。
【請求項２０】
前記受信するステップは、プローブ要求フレームの一部としての前記アンテナ能力情報を受信するステップを含むことを特徴とする請求項１６記載の方法。
【請求項２１】
前記受信するステップは、プローブ応答フレームの一部としての前記アンテナ能力情報を受信するステップを含むことを特徴とする請求項１６記載の方法。
【請求項２２】
前記受信するステップは、制御フレームの一部としての前記アンテナ能力情報を受信するステップを含むことを特徴とする請求項１６記載の方法。
【請求項２３】
前記受信するステップは、データフレームの一部としての前記アンテナ能力情報を受信するステップを含むことを特徴とする請求項１６記載の方法。
【請求項２４】
前記応答するステップは、前記調整するステップの前に実行されることを特徴とする請求項１７記載の方法。
【請求項２５】
前記応答するステップは、前記調整するステップの後に実行されることを特徴とする請求項１７記載の方法。
【請求項２６】
前記応答するステップは、前記受信ステーションが前記要求されたアンテナ能力を有さないことを前記送信ステーションに通知するステップを含むことを特徴とする請求項１７記載の方法。
【請求項２７】
前記送信するステップは、前記アンテナ能力を使用せずに、前記送信ステーションからデータを受信するステップを含むことを特徴とする請求項２６記載の方法。
【請求項２８】
前記受信するステップは、前記アンテナ能力情報を管理フレームの一部として受信するステップを含むことを特徴とする請求項１６記載の方法。
【請求項２９】
前記調整するステップは、使用されるアンテナ数、ダイバーシティの方法、使用されるスマートアンテナ技術、および追加のアンテナ測定からなる群から選択された少なくとも１つの設定を調整するステップを含むことを特徴とする請求項１６記載の方法。
【請求項３０】
ワイヤレス通信において第１のステーションでスマートアンテナ能力情報を交換する方法であって、
前記第１のステーションのアンテナ能力に関連するアンテナ能力情報を第２のステーションに送信するステップと、
前記第２のステーションから該第２のステーションのアンテナ能力に関連するアンテナ能力情報を受信するステップと
を具えたことを特徴とする方法。
【請求項３１】
今後の送信および受信に使用する前記アンテナ能力に関して、前記第１のステーションで、ローカルで決定するステップをさらに具えたことを特徴とする請求項３０記載の方法。
【請求項３２】
前記決定するステップは、さらに通信することなく実行されることを特徴とする請求項３１記載の方法。
【請求項３３】
前記第１のステーションおよび前記第２のステーションの前記アンテナ能力を比較するステップをさらに具え、前記決定するステップは、前記第１のステーションと前記第２のステーションの両方によってサポートされる前記アンテナ能力を使用するステップを含むことを特徴とする請求項３１記載の方法。
【請求項３４】
前記決定するステップの前に実行される、前記第２のステーションの間で測定情報を交換するステップを、さらに具えことを特徴とする請求項３１記載の方法。
【請求項３５】
前記決定するステップの前に実行される、前記第１のステーションと前記第２のステーションの間でアンテナ能力情報をネゴシエートするステップを、さらに具えたことを特徴とする請求項３１記載の方法。